(57)【要約】【課題】音声データによる負荷がネットワークに極力かからないようにすること。【解決手段】移動端末１０と無線通信可能に接続されるとともにネットワーク１００と接続された基地局装置４０と、ネットワーク１００における回線交換を制御するコアネットワーク制御装置３０と、ネットワーク１００と接続されるとともに、移動端末１０、基地局装置４０及びコアネットワーク制御装置３０に対するマルチコールの呼設定を制御する管理装置２０と、を備える。管理装置２０は、移動端末１０からの送信先アドレスを含む要求メッセージを受信することにより、基地局装置４０及びコアネットワーク制御装置３０に対し音声通信の回線帯域を確保しない呼設定をするように制御する。基地局装置４０は、音声通信の回線帯域を確保しない呼設定がなされているときに、移動端末１０からの音声データをパケットデータに変換し、当該パケットデータを管理装置２０に送信する。【選択図】図１
2008245045.tif 000002
【特許請求の範囲】
【請求項１】
移動端末と無線通信可能に接続されるとともにネットワークと通信可能に接続された基地局装置と、
前記ネットワークにおける回線交換を制御するコアネットワーク制御装置と、
前記ネットワークと通信可能に接続されるとともに、前記移動端末、前記基地局装置及び前記コアネットワーク制御装置に対するマルチコールの呼設定を制御する管理装置と、
を備え、
前記管理装置は、前記移動端末からの送信先アドレスを含む要求メッセージを受信することにより、前記基地局装置及び前記コアネットワーク制御装置に対し音声通信の回線帯域を確保しない呼設定をするように制御し、
前記基地局装置は、前記音声通信の回線帯域を確保しない呼設定がなされているときに、前記移動端末からの音声データをパケットデータに変換し、当該パケットデータを前記管理装置に送信する機能を有することを特徴とする通信システム。
【請求項２】
前記管理装置は、前記移動端末からの送信先アドレスを含む要求メッセージを受信することにより、前記移動端末に対し音声通信の回線帯域を確保する呼設定をするように制御することを特徴とする請求項１記載の通信システム。
【請求項３】
前記管理装置は、前記基地局装置及び前記コアネットワーク制御装置の呼設定が完了したときに、前記移動端末に対し音声通信可能に制御することを特徴とする請求項１又は２記載の通信システム。
【請求項４】
前記管理装置は、前記基地局装置からの前記パケットデータを受信することにより、当該パケットデータを前記送信先アドレスに送信することを特徴とする請求項１記載の通信システム。
【発明の詳細な説明】
【技術分野】
【０００１】
本発明は、移動端末間での電子メールのやり取りを行う通信システムに関し、特に、移動端末で話した音声に基づいて生成された電子メールを配信する通信システムに関する。
【背景技術】
【０００２】
近年、携帯電話機等の移動端末間での電子メールのやり取りが日常化している。電子メールの作成は、移動端末のキー操作によって行われるのが通常である。作成された電子メールは、送信側の移動端末から基地局、ネットワークを介してメールサーバに送信されてメールサーバに蓄積され、受信側の移動端末の要求によりメールサーバから受信側の移動端末に送信される。
【０００３】
しかしながら、移動端末間での電子メールのやり取りを行う従来の通信システムでは、手の不自由な人やメールに慣れていない高齢者が、電子メールを作成することは非常に困難（若しくは簡単ではない）という問題があった。
【０００４】
このような問題を解決する手段として、移動端末で話した音声に基づいて生成された電子メールが送信可能なシステムが提案されている。例えば、発信者から入力された音声情報を認識する認識機能と、音声情報を文字情報及び電子メールアドレス情報に変換する機能と、データ回線網に準じたデータ送信フォーマットに変換する機能を公衆ネットワークに収容される交換機側に具備するシステムが開示されている（特許文献１参照）。
【０００５】
【特許文献１】特開２０００−３２１３９号公報
【発明の開示】
【発明が解決しようとする課題】
【０００６】
しかしながら、音声（音声データ）は、トラヒック量が多いために、その呼量が増えると、通信システムのネットワークに大きな負荷をかけてしまうという問題がある。
【０００７】
本発明の主な課題は、音声データによる負荷がネットワークに極力かからないように呼制御し、移動端末から送信される音声データを、パケットデータにて配信できるシステムを提供することである。
【課題を解決するための手段】
【０００８】
本発明の一視点においては、移動端末で話した音声に基づいて生成された電子メールを配信する通信システムにおいて、移動端末と無線通信可能に接続されるとともにネットワークと通信可能に接続された基地局装置と、前記ネットワークにおける回線交換を制御するコアネットワーク制御装置と、前記ネットワークと通信可能に接続されるとともに、前記移動端末、前記基地局装置及び前記コアネットワーク制御装置に対するマルチコールの呼設定を制御する管理装置と、を備え、前記管理装置は、前記移動端末からの送信先アドレスを含む要求メッセージを受信することにより、前記基地局装置及び前記コアネットワーク制御装置に対し音声通信の回線帯域を確保しない呼設定をするように制御し、前記基地局装置は、前記音声通信の回線帯域を確保しない呼設定がなされているときに、前記移動端末からの音声データをパケットデータに変換し、当該パケットデータを前記管理装置に送信する機能を有することを特徴とする。
【０００９】
本発明の前記通信システムにおいて、前記管理装置は、前記移動端末からの送信先アドレスを含む要求メッセージを受信することにより、前記移動端末に対し音声通信の回線帯域を確保する呼設定をするように制御することが好ましい。
【００１０】
本発明の前記通信システムにおいて、前記管理装置は、前記基地局装置及び前記コアネットワーク制御装置の呼設定が完了したときに、前記移動端末に対し音声通信可能に制御することが好ましい。
【００１１】
本発明の前記通信システムにおいて、前記管理装置は、前記基地局装置からの前記パケットデータを受信することにより、当該パケットデータを前記送信先アドレスに送信することが好ましい。
【発明の効果】
【００１２】
本発明によれば、通信システムのネットワークにおけるトラヒックデータ（音声データ）による負荷が大きくかからないようにしつつ、一般ユーザが移動端末に話した音声を、希望する送信先に電子メール（パケット）にて配信することができる。また、メールに慣れていない高齢者や手の不自由な人でも簡単に電子メールを作成することができる。また、健常者でも、非常に少ない時間でメールを作成することができる。
【発明を実施するための最良の形態】
【００１３】
（実施形態１）
本発明の実施形態１に係る通信システムについて図面を用いて説明する。図１は、本発明の実施形態１に係る通信システムの構成を模式的に示したブロック図である。
【００１４】
通信システム１は、移動端末１０に話した音声を電子メールにて配信するシステムである。通信システム１は、移動端末１０と、管理装置２０と、コアネットワーク制御装置３０と、基地局装置４０と、ネットワーク１００と、を備えている。移動端末１０と、管理装置２０と、コアネットワーク制御装置３０と、基地局装置４０は、ネットワーク１００を介して相互に接続されている。
【００１５】
移動端末１０は、携帯電話機等の持ち運び可能であるとともに、無線通信機能と通話機能を有する端末である。移動端末１０は、所定の操作に応じてプログラムに基づいて動作するコンピュータ機能を有する。移動端末１０は、基地局装置４０と無線通信可能に接続されている。移動端末１０は、所定の操作に応じて通信システム１におけるサービス（音声に基づいて生成された電子メールを配信するサービス）を起動させる機能を有する。移動端末１０は、主な構成部として、通信部１１と、記憶部１２と、制御部１３と、通話部１４と、スピーカ１５と、マイク１６と、操作部１７と、を有する。
【００１６】
通信部１１は、基地局装置４０と無線通信可能に接続する。記憶部１２は、データ、プログラム等の情報を記憶する。制御部１３は、各構成部の動作を制御する。通話部１４は、マイク１６から入力された信号を音声データにし、音声データをスピーカ２７を介して出力する。操作部１７は、テンキー、各種ファンクションキー等を有し、それらのキー操作による押下信号を出力する。
【００１７】
移動端末１０は、送信先のメールアドレスを予め記憶部１２に保存しておける機能を有する。操作に応じて管理装置２０におけるサービス（音声に基づいて生成された電子メールを配信するサービス）を起動するための要求メッセージを基地局装置４０に送信する機能を有する。また、移動端末１０は、基地局装置４０より設定メッセージＣを受信することで呼設定（マルチコールの呼設定）を行う機能を有する。また、移動端末１０は、基地局装置４０からの通話開始メッセージを受信する機能を有する。また、移動端末１０は、呼設定が完了し、かつ、通話開始メッセージを受信すると、基地局装置４０とマルチコールにて音声通信を実施する機能を有する。
【００１８】
ここで、要求メッセージは、サービス（音声に基づいて生成された電子メールを配信するサービス）の起動を要求するためのメッセージであり、移動端末１０が予め保持している送信先のメールアドレスの中から選択したメールアドレスが含まれており、最終的には、管理装置２０に通知される。
【００１９】
管理装置２０は、コアネットワーク制御装置３０の上位装置で、コアネットワーク制御装置３０、基地局装置４０及び移動端末１０にマルチコールの呼設定を制御する装置である。管理装置２０は、音声に基づいて生成された電子メールを配信するサービスを管理するメールサーバとしての役割を兼ねている。管理装置２０は、プログラムに基づいて動作するコンピュータ機能を有する。管理装置２０は、ネットワーク１００と通信可能に接続されている。管理装置２０は、主な構成部として、通信部２１と、記憶部２２と、制御部２３と、を有する。通信部２１は、ＩＰやＡＴＭセルなどのデータ単位で送受信を行い、ネットワーク１００と通信可能に接続する。記憶部２２は、データ、プログラム等の情報を記憶する。制御部２３は、各構成部の動作を制御する。
【００２０】
管理装置２０は、コアネットワーク制御装置３０からの要求メッセージ及び設定完了メッセージＢを受信する機能を有する。また、管理装置２０は、コアネットワーク制御装置３０からの要求メッセージを受信すると、コアネットワーク制御装置３０にマルチコール通信のために必要なパラメータを含む設定メッセージＡ〜Ｃを送信する機能を有する。また、管理装置２０は、設定完了メッセージＢを受信すると、コアネットワーク制御装置３０に対し、通話開始メッセージを送信する機能を有する。また、管理装置２０は、基地局装置４０からのパケットデータを電子メールとして送信先アドレスに送信する機能を有する。
【００２１】
ここで、設定メッセージＡは、マルチコール通信のために必要なパラメータ（音声通信とパケット通信を同時に行うマルチコールの呼設定のパラメータ）を含むコアネットワーク制御装置３０用のメッセージであり、音声通信の回線帯域を確保しないパラメータ値が設定されている。設定メッセージＢは、マルチコール通信のために必要なパラメータ（音声通信とパケット通信を同時に行うマルチコールの呼設定のパラメータ）を含む基地局装置４０用のメッセージであり、音声通信の回線帯域を確保しないパラメータ値が設定されている。設定メッセージＣは、マルチコール通信のために必要なパラメータ（音声通信とパケット通信を同時に行うマルチコールの呼設定のパラメータ）を含む移動端末１０用のメッセージであり、音声通信の回線帯域を確保するパラメータ値が設定されている。通話開始メッセージは、移動端末１０にて通話を開始するためのメッセージであり、このメッセージを受信することでマルチコール通信が可能であることを移動端末１０が認識する。
【００２２】
コアネットワーク制御装置３０は、ネットワーク１００における回線交換を制御する装置の集合群（ＭＳＣ／ＳＧＳＮ／ＲＮＣを想定）である。コアネットワーク制御装置３０は、プログラムに基づいて動作するコンピュータ機能を有する。コアネットワーク制御装置３０は、ネットワーク１００と通信可能に接続されている。コアネットワーク制御装置３０は、主な構成部として、通信部３１と、記憶部３２と、制御部３３と、を有する。通信部３１は、ネットワーク１００と通信可能に接続する。記憶部３２は、データ、プログラム等の情報を記憶する。制御部３３は、各構成部の動作を制御する。
【００２３】
コアネットワーク制御装置３０は、基地局装置４０からの要求メッセージを受信することにより、当該要求メッセージを管理装置２０に送信する機能を有する。また、コアネットワーク制御装置３０は、管理装置２０からの設定メッセージＡを受信することにより、呼設定（マルチコールの呼設定）を行う機能を有する。また、コアネットワーク制御装置３０は、呼設定動作が完了し、かつ、設定完了メッセージＡを受信することにより、設定完了メッセージＢを管理装置２０に送信する機能を有する。また、コアネットワーク制御装置３０は、管理装置２０からの設定メッセージＢ、Ｃや通話開始メッセージを受信することにより、当該設定メッセージＢ、Ｃや当該通話開始メッセージを基地局装置４０に送信する機能を有する。
【００２４】
ここで、設定完了メッセージＢは、コアネットワーク制御装置３０及び基地局装置４０の呼設定動作が完了したことを管理装置２０に知らせるためのメッセージである。
【００２５】
基地局装置４０は、移動端末１０と無線通信可能であるとともに、電柱やビルの屋上、電話ボックス、地下鉄ホームの天井などに設置された装置である。基地局装置４０は、所定の操作に応じてプログラムに基づいて動作するコンピュータ機能を有する。基地局装置４０は、移動端末１０と無線通信可能に接続されており、ネットワーク１００と通信可能に接続されている。基地局装置４０は、主な構成部として、復調部４１と、音声データ再生部４２と、音声認識部４３と、パケット変換部４４と、通信部４５と、記憶部４６と、制御部４７と、を有する。
【００２６】
復調部４１は、音声データの無線信号を復調する機能を有し、復調した復調データを音声データ再生部４２に送信する機能を有する。音声データ再生部４２は、復調部４１からの復調データを音声データに再生する機能を有し、再生した音声データを音声認識部４３に送信する機能を有する。音声認識部４３は、音声データ再生部４２からの音声データを音声認識し、文字データに変換する機能を有し、文字データをパケット変換部４４に送信する機能を有する。パケット変換部４４は、音声認識部４３からの文字データを、ネットワークで取り扱える形式のデータ（パケットデータ）に変換する機能を有する。なお、パケットデータは、管理装置２０に送信される。通信部４５は、ネットワーク１００と通信可能に接続する。記憶部４６は、データ、プログラム等の情報を記憶する。制御部４７は、各構成部の動作を制御する。
【００２７】
基地局装置４０は、移動端末１０からの要求メッセージを受信することにより、コアネットワーク制御装置３０に送信する機能を有する。また、基地局装置４０は、コアネットワーク制御装置３０からの設定メッセージＢ、Ｃや通話開始メッセージを受信する機能を有する。また、基地局装置４０は、コアネットワーク制御装置３０からの設定メッセージＣや通話開始メッセージを移動端末１０に送信する機能を有する。また、基地局装置４０は、コアネットワーク制御装置３０からの設定メッセージＢを受信することにより呼設定（マルチコールの呼設定）を行う機能を有する。また、基地局装置４０は、呼設定後、音声データをパケットデータに変換する機能が動作可能となり、移動端末１０からの音声データをパケットデータへ変換し、当該パケットデータを管理装置２０に送信する機能を有する。なお、この変換動作は、復調部４１、音声データ再生部４２、音声認識部４３、パケット変換部４４を用いて実施する。また、基地局装置４０は、音声データをパケットデータに変換する機能が動作可能となると、設定完了メッセージＡをコアネットワーク制御装置３０に送信する機能を有する。
【００２８】
ここで、設定完了メッセージＡは、基地局装置４０の呼設定動作が完了したことをコアネットワーク制御装置３０に知らせるためのメッセージである。
【００２９】
ネットワーク１００は、通信回線、交換機等を含む情報通信網である。
【００３０】
次に、本発明の実施形態１に係る通信システムの動作について図面を用いて説明する。図２は、本発明の実施形態１に係る通信システムの動作を模式的に示したフローチャート図である。
【００３１】
まず、一般ユーザは、移動端末１０を操作することで、要求メッセージを、基地局装置４０、コアネットワーク制御装置３０を経由して、管理装置２０に送信する（ステップＡ１）。なお、要求メッセージには、移動端末１０が予め保持している送信先のメールアドレスの中から選択したメールアドレスが含まれている。
【００３２】
次に、管理装置２０は、移動端末１０からの要求メッセージを受信することにより、コアネットワーク制御装置３０に設定メッセージＡ〜Ｃを送信する（ステップＡ２）。
【００３３】
次に、コアネットワーク制御装置３０は、管理装置２０からの設定メッセージＡ〜Ｃを受信することにより、設定メッセージＢ、Ｃを基地局装置４０に送信し（ステップＡ３）、設定メッセージＡに含まれるパラメータ（音声通信とパケット通信を同時に行うマルチコールの呼設定のパラメータ）に基づいてマルチコールの呼設定を行う（ステップＡ４）。なお、設定メッセージＡには、音声通信の回線帯域を確保しないパラメータ値が設定されている。
【００３４】
次に、基地局装置４０は、コアネットワーク制御装置３０からの設定メッセージＢ、Ｃを受信することにより、設定メッセージＣを移動端末１０に送信し（ステップＡ５）、設定メッセージＢに含まれるパラメータ（音声通信とパケット通信を同時に行うマルチコールの呼設定のパラメータ）に基づいてマルチコールの呼設定を行う（ステップＡ６）。なお、設定メッセージＢには、音声通信の回線帯域を確保しないパラメータ値が設定されている。
【００３５】
次に、移動端末１０は、基地局装置４０からの設定メッセージＣを受信することにより、設定メッセージＣに含まれるパラメータ（音声通信とパケット通信を同時に行うマルチコールの呼設定のパラメータ）に基づいてマルチコールの呼設定を行う（ステップＡ７）。
【００３６】
ステップＡ６の呼設定が完了すると、基地局装置４０は、音声データをパケットデータに変換する機能の動作が可能となり、設定完了メッセージＡをコアネットワーク制御装置３０に送信する（ステップＡ８）。
【００３７】
次に、コアネットワーク制御装置３０は、基地局装置４０からの設定完了メッセージＡを受信し、かつ、ステップＡ４の呼設定が完了することにより、設定完了メッセージＢを管理装置２０に送信する（ステップＡ９）。
【００３８】
次に、管理装置２０は、コアネットワーク制御装置３０からの設定完了メッセージＢを受信することにより、通話開始メッセージを、コアネットワーク制御装置３０及び基地局装置４０を経由して移動端末１０に送信する（ステップＡ１０）。
【００３９】
次に、移動端末１０は、管理装置２０からの通話開始メッセージを受信することにより、マルチコール通信が可能であることを認識し、ユーザからの音声の入力が可能な状態となる（ステップＡ１１）。
【００４０】
次に、移動端末１０は、ユーザからの音声が入力されると、その音声データの無線信号を基地局装置４０に送信し始める（ステップＡ１２）。
【００４１】
次に、基地局装置４０は、移動端末１０からの音声データの無線信号に基づいてパケットデータを生成して、当該パケットデータを管理装置２０に送信する（ステップＡ１３）。つまり、基地局装置４０は、移動端末１０からの音声データの無線信号を復調部４１にて復調し、復調された音声データを音声データ再生部４２にて音声データに再生し、再生された音声を音声認識部４３にて音声認識して文字データに変換し、変換された文字データをパケット変換部４４にてネットワーク１００で取り扱える形式のデータ（パケットデータ）に変換し、変換されたパケットデータを管理装置２０に送信する。
【００４２】
次に、管理装置２０は、基地局装置４０からのパケットデータを電子メールとして送信先アドレス（要求メッセージに含まれているアドレス）に送信する（ステップＡ１４）。その後、送信先アドレスに係る端末（図示せず；移動端末、固定端末のどちらでも可）が当該電子メールを取得することで、当該電子メールを参照することが可能となる。
【００４３】
実施形態１によれば、通信システム全体において不要な帯域を設定しないので、大きなトラヒック量がかかることない。また、メールに慣れていない高齢者や手の不自由な人でも簡単に電子メールを作成することができる。また、健常者でも、非常に少ない時間でメールを作成することができる。さらに、携帯事業者から見れば、新たなサービスが展開でき、新たな顧客を確保できる可能性がある（新たな市場を開拓できる可能性がある）。
【図面の簡単な説明】
【００４４】
【図１】本発明の実施形態１に係る通信システムの構成を模式的に示したブロック図である。
【図２】本発明の実施形態１に係る通信システムの動作を模式的に示したフローチャート図である。
【符号の説明】
【００４５】
１  通信システム
１０  移動端末
１１  通信部
１２  記憶部
１３  制御部
１４  通話部
１５  スピーカ
１６  マイク
１７  操作部
２０  管理装置
２１  通信部
２２  記憶部
２３  制御部
３０  コアネットワーク制御装置
３１  通信部
３２  記憶部
３３  制御部
４０  基地局装置
４１  復調部
４２  音声データ再生部
４３  音声認識部
４４  パケット変換部
４５  通信部
４６  記憶部
４７  制御部
１００  ネットワーク
【図１】
2008245045.tif 000003
【図２】
2008245045.tif 000004